【手続補正書】
【提出日】平成17年9月15日(2005.9.15)
【手続補正１】
【補正対象書類名】明細書
【補正対象項目名】特許請求の範囲
【補正方法】変更
【補正の内容】
【特許請求の範囲】
【請求項１】
音源から出力されるオーディオ信号を少なくとも可聴帯域より高い周波数帯域の信号に周波数変調する変調手段と、
上記変調手段からの周波数変調された信号によって駆動される少なくとも１個の超音波発生素子を備えてなるスピーカ装置。
【請求項２】
上記変調手段は、上記音源から出力されるオーディオ信号を第１の周波数に周波数変調された信号と上記第１の周波数とは異なる第２の周波数に周波数変調された信号に変換することを特徴とする請求項１記載のスピーカ装置。
【請求項３】
複数の超音波発生素子を備え、上記超音波発生素子は、第１の素子群と第２の素子群からなり、上記第１の素子群に上記第１の周波数に周波数変調された信号が入力され、上記第２の素子群に上記第２の周波数に周波数変調された信号が入力されることを特徴とする請求項２記載のスピーカ装置。
【請求項４】
上記第１の周波数に周波数変調された信号と上記第２の周波数に周波数変調された信号を混合する手段を備えることを特徴とする請求項３記載のスピーカ装置。
【請求項５】
上記音源から出力されるオーディオ信号を微分処理する微分手段を備えることを特徴とする請求項１記載のスピーカ装置。
【請求項６】
上記微分手段によって微分処理されたオーディオ信号をレベルシフトする直流オフセット手段を備えることを特徴とする請求項５記載のスピーカ装置。
【請求項７】
上記音源から出力されるオーディオ信号を逆コサイン関数処理することを特徴とする請求項１記載のスピーカ装置。
【請求項８】
上記音源から出力されるオーディオ信号を少なくとも可聴帯域より高い周波数帯域に周波数変調された信号を振幅変調するとともに上記オーディオ信号を振幅変調する振幅変調手段を備えることを特徴とする請求項１記載のスピーカ装置。
【請求項９】
上記音源から出力されるオーディオ信号を逆コサイン変換処理することを特徴とする請求項８記載のスピーカ装置。
【請求項１０】
音源から出力されるオーディオ信号を少なくとも可聴帯域より高い周波数帯域の信号に周波数変調する変調手段と、
上記変調手段からの周波数変調された信号の周波数特性を補正する補正手段と、
上記補正手段からの補正された信号によって駆動される少なくとも１個の超音波発生素子を備えてなるスピーカ装置。
【請求項１１】
音源から出力されるオーディオ信号の周波数特性を補正する補正手段と、
上記補正手段からの補正されたオーディオ信号を少なくとも可聴帯域より高い
周波数帯域の信号に周波数変調する変調手段と、
上記変調手段からの周波数変調された信号によって駆動される少なくとも１個の超音波発生素子を備えてなるスピーカ装置。
【請求項１２】
音源から出力されるオーディオ信号を少なくとも可聴帯域より高い周波数帯域の信号に周波数変調する変調手段と、
上記変調手段からの周波数変調された信号によって駆動される少なくとも１個の超音波発生素子と、
上記超音波発生素子から放出される超音波の差周波数歪みによる可聴帯域の音を集音するマイクロホンと、
上記マイクロホンによって集音された可聴帯域の信号を逆コサイン関数処理する手段とを備えてなるオーディオ信号送信装置。
【請求項１３】
音源から出力されるオーディオ信号を少なくとも可聴帯域より高い周波数帯域の信号に周波数変調する変調手段と、
上記変調手段からの周波数変調された信号によって駆動される少なくとも１個の超音波発生素子と、
上記超音波発生素子から放出される上記超音波の差周波数歪による可聴帯域の音を記録した記録メディアから出力される上記可聴帯域の信号を逆コサイン関数処理する処理手段を備えることを特徴とするオーディオ再生装置。
【請求項１４】
視聴者の位置を検出する位置検出手段と、
上記超音波発生素子から放出される上記超音波の指向性を変更させる指向性変更手段とを備え、
上記位置検出手段によって検出された視聴者の位置に応じて、上記超音波発生素子から放出される上記超音波の指向性を変更させることを特徴とする請求項１３記載のオーディオ再生装置。
【請求項１５】
音源から出力されるオーディオ信号を少なくとも可聴帯域より高い周波数帯域の信号に周波数変調する変調手段と、
上記変調手段からの周波数変調された信号によって駆動される複数の超音波発生素子を備えてなるスピーカ装置。
【請求項１６】
上記変調手段は、上記音源から出力されるオーディオ信号を第１の周波数に周波数変調された信号と上記第１の周波数とは異なる第２の周波数に周波数変調された信号に変換することを特徴とする請求項１５記載のスピーカ装置。
【請求項１７】
上記複数の超音波発生素子は、第１の素子と第２の素子群からなり、上記第１の素子群に上記第１の周波数に周波数変調された信号が入力され、上記第２の素子群に上記第２の周波数に周波数変調された信号が入力されることを特徴とする請求項１５記載のスピーカ装置。
【請求項１８】
上記第１の周波数に周波数変調された信号と上記第２の周波数に周波数変調された信号を混合する手段を備えることを特徴とする請求項１６記載のスピーカ装置。
【請求項１９】
上記音源から出力されるオーディオ信号を微分処理する微分手段を備えることを特徴とする請求項１５記載のスピーカ装置。
【請求項２０】
上記微分手段によって微分処理されたオーディオ信号をレベルシフトする直流オフセット手段が備えることを特徴とする請求項１９記載のスピーカ装置。
【請求項２１】
上記音源から出力されるオーディオ信号を逆コサイン関数処理することを特徴とする請求項１５記載のスピーカ装置。
【請求項２２】
上記音源から出力されるオーディオ信号を少なくとも可聴帯域より高い周波数帯域に周波数変調された信号を振幅変調するとともに上記オーディオ信号を振幅変調する振幅変調手段を備えることを特徴とする請求項１５記載のスピーカ装置。
【請求項２３】
上記音源から出力されるオーディオ信号を逆コサイン関数処理することを特徴とする請求項２２記載のスピーカ装置。
【請求項２４】
上記第１の素子群及び上記第２の素子群に入力される第１及び第２の周波数の変調信号の少なくとも一方を遅延させる遅延手段が設けられたことを特徴とする請求項１７記載のスピーカ装置。
【請求項２５】
音源から出力されるオーディオ信号を少なくとも可聴帯域より高い周波数帯域の信号に周波数変調する変調手段と、
上記変調手段からの周波数変調された信号の周波数特性を補正する補正手段と、
上記補正手段からの補正された信号によって駆動される複数の超音波発生素子を備えてなるスピーカ装置。
【請求項２６】
音源から出力されるオーディオ信号の周波数特性を補正する補正手段と、
上記補正手段からの補正されたオーディオ信号を少なくとも可聴帯域より高い周波数帯域の信号に周波数変調する変調手段と、
上記変調手段からの周波数変調された信号によって駆動される複数の超音波発生素子を備えてなるスピーカ装置。
【手続補正２】
【補正対象書類名】明細書
【補正対象項目名】０００１
【補正方法】変更
【補正の内容】
【０００１】
【発明の属する技術分野】
本発明は、超音波素子を用いて音の再生を行うスピーカ装置、このスピーカ装置を用いたオーディオ再生装置及びオーディオ信号送信装置に関する。
【手続補正３】
【補正対象書類名】明細書
【補正対象項目名】００１８
【補正方法】変更
【補正の内容】
【００１８】
また、音源から出力されるオーディオ信号の周波数特性を予め補正する補正手段を備える。
更に、本発明は、上述したようなスピーカ装置を用いて構成されるオーディオ再生装置であり、音源から出力されるオーディオ信号を少なくとも可聴帯域より高い周波数帯域の信号に周波数変調する変調手段と、上記変調手段からの周波数変調された信号によって駆動される少なくとも１個の超音波発生素子と、上記超音波発生素子から放出される上記超音波の差周波数歪による可聴帯域の音を記録した記録メディアから出力される上記可聴帯域の信号を逆コサイン関数処理する処理手段を備える。
このオーディオ再生装置は更に、視聴者の位置を検出する位置検出手段と、上記超音波発生素子から放出される上記超音波の指向性を変更させる指向性変更手段とを備え、上記位置検出手段によって検出された視聴者の位置に応じて、上記超音波発生素子から放出される上記超音波の指向性を変更させる。